(57)【要約】折り目付き用紙を積み重ねる装置は、第１側部および第２側部を有する収集装置と、第１用紙接触部品を有する第１用紙駆動アセンブリと、第２用紙接触部品を有する第２用紙駆動アセンブリとを備える。第１用紙駆動アセンブリは、収集装置の第１側部に位置して、用紙受け取り位置および用紙解放位置間を移動するように動作可能である。第２用紙駆動アセンブリは、収集装置の第２側部に位置しており、第２用紙接触部品は並進して、用紙を収集装置の第２側部との間に挟む。用紙収集作業中、収集装置は、用紙経路、第１用紙駆動アセンブリおよび第２用紙駆動アセンブリの少なくとも１つに対して静止している。用紙経路、用紙折り目付け装置、および用紙積み重ね作業中に折り目付き用紙を積み重ねる装置を有する製本機と、折り目付き用紙の取扱方法も提供されている。
2005538912.tif 000002
【特許請求の範囲】
【請求項１】
折り目付き用紙の取扱方法であって、
折り目付き用紙（８０４）の第１部分（８０６）を、第１用紙駆動アセンブリ（８１２）の第１用紙接触部品（８１６）を有する用紙経路に沿って収集装置（８１０）の第１側部（８０８）に導くことと、
前記折り目付き用紙（８０４）の前記第１部分（８０６）を第２用紙駆動アセンブリ（８２２）の第２用紙接触部品（８２６）と接触させることと、
前記折り目付き用紙（８０４）の第２部分（８２８）を前記第１用紙駆動アセンブリ（８１２）の前記第１用紙接触部品（８１６）と接触させることと、
前記折り目付き用紙（８０４）の前記第１部分（８０６）を前記収集装置（８１０）の前記第１側部（８０８）に沿って前進させるように、前記第１用紙接触部品（８１６）および前記第２用紙接触部品（８２６）の少なくとも一方を用紙前進方向に回転または並進させることと、
前記折り目付き用紙（８０４）の前記第２部分（８２８）を前記収集装置（８１０）の第２側部（８３４）に導くように、前記第１用紙駆動アセンブリ（８１２）を再配置することと、
前記折り目付き用紙（８０４）の前記第２部分（８２８）を前記収集装置（８１０）の前記第２側部（８３４）に沿って位置決めするように、前記第１用紙接触部品（８１６）および前記第２用紙接触部品（８２６）の少なくとも一方を用紙後退方向に回転または並進させることと、
を含むことを特徴とする折り目付き用紙の取扱方法。
【請求項２】
前記折り目付き用紙（８０４）の前記第１部分（８０６）は、前記折り目付き用紙（８０４）の前記第１部分（８０６）を前記用紙経路に沿って前記収集装置（８１０）の前記第１側部（８０８）に導く間、あるいは、前記折り目付き用紙（８０４）の前記第１部分（８０６）を第２用紙接触部品（８２６）と接触させる間、前記第２用紙接触部品（８２６）および前記収集装置（８１０）の前記第１側部（８０８）の間に配置された先頭部分であることを特徴とする請求項１に記載の折り目付き用紙の取扱方法。
【請求項３】
前記折り目付き用紙（８０４）の折り目（８２４）が前記第２用紙駆動アセンブリ（８２２）と出会う点を越えず、また、前記折り目（８２４）は前記第２用紙接触部品（８２６）および前記収集装置（８１０）の間を通過しないように、前記折り目付き用紙（８０４）の前記第１部分（８０６）は、前記収集装置（８１０）の前記第１側部（８０８）に沿って前進することを特徴とする請求項２に記載の折り目付き用紙の取扱方法。
【請求項４】
前記第１用紙接触部品（８１６）は従動回転部材であり、前記折り目付き用紙（８０４）の前記第２部分（８２８）は、前記折り目付き用紙（８０４）の前記第２部分（８２８）を第２用紙接触部品（８２２）と接触させる間、前記従動回転部材（８１６）および対向する用紙接触部品（８１８）の間に捕らえられる先頭部分であることを特徴とする請求項１に記載の折り目付き用紙の取扱方法。
【請求項５】
前記折り目付き用紙（８０４）の折り目（８２４）が前記第１用紙駆動アセンブリ（８１２）と出会う点を越えることなく、また、前記折り目（８２４）は前記従動回転部材（８１６）および対向する用紙接触部品（８１８）の間を通過しないように、前記折り目付き用紙（８０４）の前記第２部分（８２８）は、回転または並進する間、前記従動回転部材（８１６）および対向する用紙接触部品（８１８）の間を前進することを特徴とする請求項４に記載の折り目付き用紙の取扱方法。
【請求項６】
前記収集装置（８１０）は、前記用紙経路、前記第１用紙駆動アセンブリ（８１２）および前記第２用紙駆動アセンブリ（８２２）の少なくとも１つに対して静止していることを特徴とする請求項１に記載の折り目付き用紙の取扱方法。
【請求項７】
第１側部（１０４）および第２側部（１０６）を有する収集装置（１０２）と、
第１用紙接触部品（１１０）を有する第１用紙駆動アセンブリ（１０８）であって、前記収集装置（１０２）の前記第１側部（１０４）に位置して、用紙受け取り位置および用紙解放位置の間を移動するように動作可能である第１用紙駆動アセンブリ（１０８）と、
第２用紙接触部品（１１４）を有する第２用紙駆動アセンブリ（１１２）であって、前記第２用紙駆動アセンブリ（１１２）は前記収集装置（１０２）の第２側部（１０６）に位置しており、また前記第２用紙接触部品（１１４）は前記用紙を前記収集装置（１０２）の前記第２側部（１０６）との間に挟むように並進する、第２用紙駆動アセンブリ（１１２）と、
を備え、
用紙収集作業中、前記収集装置（１０２）は、用紙経路、前記第１用紙駆動アセンブリ（１０８）および前記第２用紙駆動アセンブリ（１１２）の少なくとも１つに対して静止していることを特徴とする請求項１に記載の方法を実行する装置。
【請求項８】
用紙経路と、
用紙折り目付け装置と、
用紙積み重ね作業中に折り目付き用紙を積み重ねる装置（１００）であって、第１側部（１０４）および第２側部（１０６）を有する収集装置（１０２）、前記収集装置（１０２）の前記第１側部（１０４）に位置して、用紙受け取り位置および用紙解放位置の間を移動するように動作可能である、第１用紙接触部品（１１０）を有する第１用紙駆動アセンブリ（１０８）、および前記収集装置（１０２）の前記第２側部（１０６）に位置し、前記用紙を前記収集装置（１０２）の前記第２側部（１０６）との間に挟むように並進可能な第２用紙接触部品（１１２）を有する第２用紙駆動アセンブリ（１１２）を備える装置（１００）と、
を備え、
前記収集装置（１０２）は、用紙収集作業中に、前記用紙経路、前記第１用紙接触部品（１０８）および前記第２用紙接触部品（１１２）の少なくとも１つに対して静止していることを特徴とする請求項１に記載の方法を実行する製本機。
【請求項９】
折り目付き用紙の取扱方法であって、
第１折り目付き用紙（９０６）の先頭部分（９０４）を収集装置（９１０）の第２側部（９０８）に導くことと、
前記第１折り目付き用紙（９０６）の前記先頭部分（９０４）を用紙接触部品（９１２）および前記収集装置（９１０）の前記第２側部（９０８）の間に導くことと、
前記第１折り目付き用紙（９０６）の折り目を前記収集装置（９１０）の先端上に位置決めすることと、
前記収集装置（９１０）の前記第２側部（９０８）に力を加えて、前記第１折り目付き用紙（９０６）の前記先頭部分（９０４）を静止状態に保持するように、前記用紙接触部品を移動させることと、
前記第１折り目付き用紙（９０６）の後尾部分（９１８）を前記収集装置（９１０）の前記第１側部（９２２）に沿って位置決めするために、少なくとも１つの掃引部材（９０２）を用紙経路の第１側の第１位置（Ａ）から、前記用紙経路（Ｂ）を通過して第２位置（Ｃ、Ｄ）へ掃引させることと、
を含むことを特徴とする折り目付き用紙の取扱方法。
【請求項１０】
第１側部（５０６）および第２側部を有する収集装置（５０８）と、
移動部材（５０４）、および前記移動部材（５０４）に取り付けられた少なくとも１つの掃引部材（５０２）を有する第１用紙駆動アセンブリであって、前記第１用紙駆動アセンブリは前記収集装置（５０８）の前記第１側部（５０６）に位置し、また、前記移動部材（５０４）は、前記収集装置（５０８）の前記第１側部（５０６）からずれた位置で前記第１側部（５０６）に平行な平面上にほぼ含まれる方向に用紙受け取り位置および用紙解放位置の間を並進可能である第１駆動機構に動作連結される、第１用紙駆動アセンブリと、
第２用紙接触部品を有する第２用紙駆動アセンブリであって、前記第２用紙駆動アセンブリは、前記収集装置の前記第２側部に位置しており、また、前記第２用紙接触部品は、前記用紙を前記収集装置の前記第２側部との間に挟むように並進する、第２用紙駆動アセンブリと、
を備え、
前記収集装置（５０８）は、用紙収集作業中に、用紙経路、前記第１用紙駆動アセンブリおよび前記第２用紙駆動アセンブリの少なくとも１つに対して静止しており、
前記第１用紙駆動アセンブリおよび前記第２用紙駆動アセンブリの各々は、前記折り目付き用紙（５１０）を前記用紙経路に沿って前進方向または後退方向に移動させる原動力を与えるように、前記折り目付き用紙（５１０）の縁部または表面と接触する、
ことを特徴とする請求項９に記載の方法を実行する装置。
【発明の詳細な説明】
【技術分野】
【０００１】
本発明は、折り目付き用紙を積み重ねる装置であって、用紙収集作業中、収集装置が静止している装置に関する。
【背景技術】
【０００２】
両面印刷用紙は、紙送り補助具によって綴じられて、ブックレットなどの完成ドキュメントにされることが多い。機器が、綴じ、折り目付け、切り落とし、中綴じおよび穴開けなどの仕上げ作業を行う。製本するための紙送りは、用紙の収集および位置決めなどの付加的な操作作業を含む。製本機は、加工物を回転させることによって加工物上に折り目付き用紙を収集し、それにより、折り目付き用紙の２つの部分が加工物の両側部に載るように、動作することができる。
【０００３】
たとえば、印刷済み用紙をブックレットに仕上げるシステムが、米国特許第６，０９９，２２５号（Allen他）に記載されており、その全体を参照して本明細書に援用される。この’２２５号特許は、折り目付きブックレット用紙を収集するための逆Ｖ字形加工物を開示している。
【０００４】
本掛け基盤上に中綴じブックレットを作成するシステムが、ＰＣＴ第ＷＯ００／１８５８３号（Trovinger他）に開示されており、その全体を参照して本明細書に援用される。このシステムでは、補助駆動装置を使用して、折り目が付いたブックレット用紙を折り目付装置具から往復動サドルへ前進させる。往復動サドルは、折り目付き用紙の後尾側をサドルの背面上に搬送できるようにすると記載されている。
【０００５】
２００２年２月２８に出願された「SYSTEM FOR HANDLING FOLDED SHEET MATERIAL」と題する米国特許出願第１０／０８４４５９号（代理人整理番号第１００１５１５８−１号）（Trovinger）は、その全体を参照して本明細書に援用されるが、折り目付き用紙を収集装置へ移動させて、折り目付き用紙を収集装置にかぶせるシステムを開示している。折り目付き用紙は、非線形経路で収集装置へ移動させられ、それにより、各用紙は、用紙の先頭側および後尾側がそれぞれ収集装置の異なった側部に送られるようにして、収集装置に送られる。
【０００６】
２００２年２月２８に出願された「BOOKLET MAKER」と題する米国特許出願第１０／０８４４６０号（代理人整理番号第１００１４０１２−１号）（Trovinger）は、その全体を参照して本明細書に援用されるが、回動式収集装置を備える製本機を開示している。回動式収集装置は、鞍形に形成された２つの支持側部と、変位可能な締め付け部品を備える回転式移送機構とを有する。移送機構が折り目付き用紙材を非線形経路に沿って収集装置に送り、収集装置が回動して移送機構から折り目付き用紙材を受け取り、それにより、折り目付き用紙材の異なった部分が、収集装置の２つの支持側部の異なった側によって支持されるようにする。
【０００７】
２００２年２月２８に出願された「PIVOTABLE COLLECTING DEVICE」と題する米国特許出願第１０／０８４４６２号（代理人整理番号第１００１５１５４−１号）（Trovinger）は、その全体が参照によって本明細書に援用されるが、やはり折り目付き用紙材を取り扱う回動式収集装置を開示している。
【発明の開示】
【０００８】
本発明は、折り目付き用紙を積み重ねる装置を対象とする。１つの例示的な実施形態では、折り目付き用紙を積み重ねる装置は、第１側部および第２側部を有する収集装置と、第１用紙接触部品を有する第１用紙駆動アセンブリであって、収集装置の第１側部に位置して、用紙受け取り位置および用紙解放位置間を移動するように動作可能である第１用紙駆動アセンブリと、第２用紙接触部品を有する第２用紙駆動アセンブリであって、第２用紙駆動アセンブリは収集装置の第２側部に位置しており、また、第２用紙接触部品は用紙を収集装置の第２側部との間に挟むように並進する、第２用紙駆動アセンブリとを備える。用紙収集作業中、収集装置は、用紙経路、第１用紙駆動アセンブリおよび第２用紙駆動アセンブリの少なくとも１つに対して静止している。
【０００９】
例示的な実施形態に従った製本機は、用紙経路と、用紙折り目付け装置と、用紙積み重ね作業中に折り目付き用紙を積み重ねる装置とを備える。この装置は、第１側部および第２側部を有する収集装置、第１用紙接触部品を有する第１用紙駆動アセンブリであって、収集装置の第１側部に位置して、用紙受け取り位置および用紙解放位置間を移動するように動作可能である第１用紙駆動アセンブリ、および収集装置の第２側部に位置する第２用紙駆動アセンブリであって、用紙を収集装置の第２側部との間に挟むように並進可能な第２用紙接触部品を有する第２用紙駆動アセンブリを備える。用紙収集作業中、収集装置は、用紙経路、第１用紙接触部品および第２用紙接触部品の少なくとも１つに対して静止している。
【００１０】
１つの例示的な実施形態では、折り目付き用紙取り扱い装置は、第１側部および第２側部を有する収集装置、折り目付き用紙の先頭部分が収集装置上に位置決めされるように、折り目付き用紙を用紙経路から収集装置へ導く手段、折り目付き用紙を収集装置の第１側部および第２側部の少なくとも一方に沿って移動させる手段、および折り目付き用紙の後縁部分を収集装置上に位置決めする手段を備えることができる。用紙収集作業中、収集装置は、用紙経路に対して静止している。
【００１１】
折り目付き用紙を取り扱う１つの例示的な方法は、折り目付き用紙の第１部分を、第１用紙駆動アセンブリの第１用紙接触部品を備える用紙経路に沿って収集装置の第１側部に導くこと、折り目付き用紙の第１部分を第２用紙駆動アセンブリの第２用紙接触部品と接触させること、折り目付き用紙の第２部分を第１用紙駆動アセンブリの第１用紙接触部品と接触させること、折り目付き用紙の第１部分を収装装置の第１側部に沿って前進させるように、第１用紙接触部品および第２用紙接触部品の少なくとも一方を用紙前進方向に回転または並進させること、折り目付き用紙の第２部分を収集装置の第２側部に導くように、第１用紙駆動アセンブリを再配置すること、および折り目付き用紙の第２部分を収集装置の第２側部に沿って位置決めするように、第１用紙接触部品および第２用紙接触部品の少なくとも一方を用紙後退方向に回転または並進させることを含む。
【００１２】
折り目付き用紙を取り扱う別の例示的な方法は、第１折り目付き用紙の先頭部分を収集装置の第２側部に導くこと、第１折り目付き用紙の先頭部分を用紙接触部品および収集装置の第２側部間に導くこと、第１折り目付き用紙の折り目を収集装置の先端上に位置決めすること、収集装置の第２側部に力を加えて、第１折り目付き用紙の先頭部分を静止状態に保持するように、用紙接触部品を移動させること、および第１折り目付き用紙の後尾部分を収集装置の第１側部に沿って位置決めするために、少なくとも１つの掃引部材を用紙経路の第１側の第１位置から、用紙経路を通過して第２位置へ掃引させることを含む。
【００１３】
同様の部品を同様の参照番号で表している添付の図面と組み合わせた好適な実施形態の以下の詳細な説明から、本発明の目的及び利点が明らかになるであろう。
【発明を実施するための最良の形態】
【００１４】
図１は、用紙収集作業中に折り目付き用紙を積み重ねる装置の例示的な実施形態の斜視図を示す。図１の装置１００は、第１側部１０４および第２側部１０６を有する収集装置１０２と、第１用紙接触部品１１０を有する第１用紙駆動アセンブリ１０８と、第２用紙接触部品１１４を有する第２用紙駆動アセンブリ１１２とを備える。第１用紙駆動アセンブリ１０８は、収集装置１０２の第１側部１０４に位置して、用紙受け取り位置および用紙解放位置間を移動するように動作可能である。第２用紙駆動アセンブリ１１２は、収集装置１０２の第２側部１０６に位置し、用紙１１６を収集装置１０２の第２側部１０６との間に挟むように、第２用紙接触部品１１４が並進する。用紙収集作業中、装置１００の収集装置１０２は、用紙経路、第１用紙駆動アセンブリ１０８および第２用紙駆動アセンブリ１１２の少なくとも１つに対して静止している。
【００１５】
第１用紙接触部品は、装置内で収集装置に対する折り目付き用紙の位置のガイド、接触、前進または後退、および／または他の操作を行うことができる任意の適当な部品にすることができる。例示的な実施形態では、第１用紙接触部品は、第１駆動機構に動作連結されて回転する従動回転部材である。同様に、第２用紙駆動接触部材は、装置内で収集装置に対する折り目付き用紙の位置のガイド、接触、前進または後退、および／または他の操作を行うことができる任意の適当な部品にすることができる。例示的な実施形態では、第２用紙接触部品は、第２駆動機構に動作連結されて軸中心に回転する従動回転部材である。
【００１６】
本明細書で言及するとき、駆動機構は、たとえば、ローラ、タイヤ、線形または曲線フラッパバーなどの用紙接触部品か、あるいは、向き変更アームまたは表面に加えることができる何らかの原動力を与えることが可能な装置であって、制限するわけではないが、接触部材のシャフトを駆動する電気、空気圧または油圧によるモータを含めた任意の装置である。さらに、駆動機構は、多数のそのような装置を有することができる。
【００１７】
装置１００内に、静止した向き変更部材１１８を設けることができる。１つの例示的な実施形態では、静止した向き変更部材１１８は、収集装置１０２の第１および第２側部１０４、１０６の少なくとも一方に面する第１表面１２０を有する。第１表面１２０は、収集装置から一定距離だけずれており、それにより、折り目付き用紙通路１２２が画定される。向き変更部材１１８は、用紙経路を偏向させる。たとえば、折り目付き用紙を用紙経路に沿って前進させ、それにより、先頭部分が収集装置を横切って前進することができる。次に、先頭部分を向き変更部材によって偏向させ、それにより、折り目付き用紙は収集装置の第１または第２側部の下方へ前進する。別の例では、向き変更部材が用紙経路を約９０度（９０°）偏向させるが、０°〜１８０°またはそれを超える任意の所望角度を使用することができる。
【００１８】
折り目１２４が、用紙１１６を先頭部分１２６および後尾部分１２８に分ける。折り目付き用紙は、たとえば、用紙経路の、折り目付き用紙を積み重ねる装置１００より上流に位置する折り目付け装置の作動により、予め折り目１２４を付けておくことができる。別法として、折り目付け装置は、折り目付き用紙を積み重ねる装置１００に組み込むことができ、あるいは、用紙経路に沿った任意の他の適当な位置に配置することもできる。
【００１９】
収集装置１０２は、折り目付き用紙の先頭部分および折り目付き用紙の後尾部分が収集装置の異なった側部に載るように折り目付き用紙を積み重ねる任意の適当な収集装置である。たとえば、折り目付き用紙の先頭部分が収集装置の第１側部上にあり、後尾部分が収集装置の第２側部上にあるか、またはその逆にすることができる。さらに、その後に積み重ねられる折り目付き用紙は、その先頭部分および後尾部分を先に積み重ねられている折り目付き用紙と整合させて、収集装置上に配置される。１つの例示的な実施形態では、収集装置は鞍形である、たとえば、収集装置の１つのエッジが第１側部を第２側部から分離させ、そのエッジは先細りし、それにより、折り目付き用紙の内側の折り目付き表面と対応する。
【００２０】
図２は、図１の装置のＡ−Ａに沿った断面図である。例示的な装置２００は、収集装置２０２、第１用紙駆動アセンブリ２０４および第２用紙駆動アセンブリ２０６を備える。静止した向き変更部材２０８も示されている。
【００２１】
図２に示された例示的な実施形態では、第１用紙接触部品は、第１駆動機構に動作連結された従動回転部材２１０である。第１用紙駆動アセンブリ２０４は、従動回転部材２１０、自由回転部材２１２およびハウジング２１４を有することができる。従動回転部材２１０および自由回転部材２１２はハウジング２１４に取り付けられ、自由回転部材２１２は係合位置へ並進（Ｔ1）して、従動回転部材２１０に力を加えることができる。たとえば、従動回転部材２１０は、駆動タイヤまたはローラにすることができ、図２の例示的な実施形態にはピンチタイヤまたはローラとして示されている自由回転部材２１２は、従動回転部材２１０の回転軸の方へ並進することができる回転軸を有することができる。ハウジング２１４は、回動軸２１６を中心にして用紙受け取り位置から用紙解放位置へ回動（Ｐ）することができる。
【００２２】
第２用紙駆動アセンブリ２０６は、第２用紙接触部品を有する。図２に示された例示的な実施形態では、第２用紙接触部品は、第２駆動機構に動作連結されて、軸２２０を中心にして回転する従動回転部材２１８である。従動回転部材２１８は、収集装置２０２の第２側部２２２に対して移動することができる。たとえば、従動回転部材２１８は、用紙経路に垂直に並進（Ｔ2）して、収集装置２０２の第２側部２２２に力を加えることができる。別の例では、従動回転部材２１８がオフセット位置から移動して、折り目付き用紙２２４を収集装置２０２の第２側部２２２との間に挟むことができる。その場合、第２用紙駆動アセンブリ２０６は、折り目付き用紙２２４を用紙経路に沿って前進方向または後退方向に移動させる（Ｍ）ための原動力、たとえば回転（Ｒ）を与えることができる。この原動力は、第１用紙駆動アセンブリ２０４によって与えられる原動力と連係させることができる。たとえば、第１および第２用紙駆動アセンブリ２０４、２０６の各々の第１用紙接触部品、たとえば、従動回転部材２１０、２１６は、折り目付き用紙２２４を同時に移動させるために、同時に、かつ／または同一回転速度で、かつ／または釣り合った速度で動作することができる。
【００２３】
図３は、図２の第１用紙駆動アセンブリ３００の詳細斜視図を示す。例示的な実施形態では、従動回転部材３０２は、ハウジング３０４の回動軸３０６と同軸的にハウジング３０４に取り付けられている。しかし、従動回転部材３０２は、ハウジング３０４の任意の適当な位置に取り付けることができる。たとえば、自由回転部材３０８および従動回転部材３０２の一方または両方は、ハウジング３０４の回動時に回動軸３０６上で、またはそれを中心にして回動するように、ハウジング３０４内に取り付けられる。図３の実施形態では、ハウジング３０４が、偏心状態に取り付けられたカムで表されている。
【００２４】
第１駆動機構（図示せず）が、従動回転部材３０２を回転させる。従動回転部材３０２は、任意の適当な手段によって第１駆動機構に動作連結される。たとえば、図３に示されているように、第１駆動機構は、ベルト３１０を介して従動回転部材３０２の軸３０６に動作連結される。別法として、動作連結を直接駆動、間接駆動、または他の結合システムにすることができる。図示のように、ハウジング３０４および従動回転部材３０２は共通軸３０６を共用しているが、これは必須ではなく、ハウジング３０４および従動回転部材３０６は個別の軸を有することができる。
【００２５】
自由回転部材３０８は、用紙受け取り位置から係合位置へ並進して、従動回転部材３０２に力を加えることができる。たとえば、自由回転部材３０８は、図３にｉおよびｉｉでそれぞれ表された、従動回転部材３０２から間隔をおいた位置から従動回転部材３０２と接触する位置へ再配置することができる。自由回転部材３０８の並進は、個別の駆動システムによって行うことができ、あるいは、第１および第２駆動機構の一方と、または、回動軸３０６を中心としたハウジング３０４の移動と一体化することもでき、たとえば、カムピボットとして偏心状態に取り付けられたカムと機械的に一体化することができる。
【００２６】
係合位置にある自由回転部材３０８は、次に用紙解放位置へ移動することができる。図３に示されているように、それぞれｉｉおよびｉｉｉで表された係合位置から回転係合位置への移動は、ハウジング３０４の移動または回転と同期させることができる。たとえば、第２ベルト３１２をハウジング３０４に動作連結して、それにより、ハウジング３０４を回動軸３０６上で回動させることができる。ハウジング３０４の２つの位置、すなわち、それぞれＩおよびＩＩで表された用紙受け取り位置および用紙解放位置が示されている。ピボットシステムは、個別駆動機構にすることができ、あるいは、第１駆動機構、他の第１用紙駆動アセンブリ、または他の用紙取扱装置と共用されるか、または連係した駆動機構にすることもできる。ハウジング３０４が回動軸３０６を中心にして回動すると、自由回転部材３０８も、従動回転部材３０２との係合状態を維持しながら、回動軸３０６を中心にして回動する。したがって、たとえば、ハウジングが用紙受け取り位置Ｉから用紙解放位置ＩＩへ移動する間、自由回転部材３０８および従動回転部材３０２は、第１用紙駆動アセンブリ内で折り目付き用紙を挟むことができる。ハウジング３０４が用紙解放位置ＩＩにあるとき、自由回転部材３０８は、回転係合位置ｉｉｉから、従動回転部材３０２から離れて用紙解放位置ｉｖへさらに並進することができ、この用紙解放位置では、折り目付き用紙はもはや自由回転部材３０８および従動回転部材３０２間に保持されない。
【００２７】
第１用紙駆動アセンブリの用紙受け取り位置は、収集装置の第１側部から第１距離をおいた位置にあり、用紙解放位置は、収集装置の第１側部から第２距離をおいた位置にある。用紙受け取り位置では、第１用紙駆動アセンブリは折り目付き用紙の先頭部分を収集装置の第２側部へ導く。用紙解放位置では、第１用紙駆動アセンブリは、折り目付き用紙の後尾部分を収集装置の第１側部へ案内する。
【００２８】
図３の例示的な実施形態に示されているように、第１および第２距離は、同軸関係を有することができる。第１用紙受け取り位置では、第１用紙駆動アセンブリは回動軸上で向きが定められて、自由回転部材が従動回転部材から間隔をおいた位置をとり、これにより、折り目付き用紙の前縁部用の用紙経路が生じる。自由回転部材は、従動回転部材に向かう方向に係合位置まで並進して、従動回転部材に力を加え、それにより、第１用紙駆動アセンブリ内で用紙を挟む。たとえば、第１用紙接触部品は、折り目付き用紙の縁部、表面、または表面の縁部と接触することができる。第１用紙駆動アセンブリは次に、回動軸を中心にして用紙解放位置へ回転することができる。たとえば、用紙解放位置では、折り目付き用紙の後尾部分を収集装置の第１側部に平行な向きに置くことができる。平行として記載したが、収集装置の第１側部に沿って前進するように折り目付き用紙の後尾部分を向かせる任意の向きを使用することができる。次に、たとえば、折り目付き用紙を用紙経路に沿って前進方向または後退方向に移動させる原動力を与えることにより、第１用紙駆動アセンブリが折り目付き用紙の後尾部分を収集装置の第１側部に導く。
【００２９】
１つの例示的な実施形態では、用紙収集動作中に折り目付き用紙を積み重ねる装置が、収集装置の第１側部に複数の第１用紙駆動アセンブリを有することができる。たとえば、図１の例示的な実施形態に示されているように、複数の第１用紙駆動アセンブリ１０８が、折り目付き用紙の第１縁部上に１つの第１用紙駆動アセンブリを、また、折り目付き用紙の第２縁部上に１つの第１用紙駆動アセンブリを有することができる。第１用紙駆動アセンブリの、折り目付き用紙の第１縁部上のものは、第１用紙駆動アセンブリの、折り目付き用紙の第２縁部上のものに対して相対的に移動するように動作連結されることができる。たとえば、動作連結は、リンク機構を介して行うことができる。リンク機構は、並進機構によって動作するギヤラックおよびギヤを有し、それにより、第１用紙駆動アセンブリを用紙経路から離れるように相対移動させることができる。別法として、第１用紙駆動アセンブリの並進移動を任意の適当な手段、たとえば、コントローラ作動式独立並進機構（a controller operating independent translation device）、インターロックを含めた流体継手などによって連係させることができる。
【００３０】
図４は、用紙収集作業中に折り目付き用紙を積み重ねる装置４００の１つの例示的な実施形態を示す。この例示的な実施形態では、装置４００は、第１用紙取扱シュート４０４および第２用紙取扱シュート４０６を有する用紙取扱入口アセンブリ４０２を備える。第１用紙取扱シュート４０４は、第２用紙取扱シュート４０６から間隔をおいた位置にあり、それにより、折り目付き用紙を受け取るスロット４０８を形成する。スロット４０８は、折り目付き用紙を収集装置４１２の第１側部４１０に導く向きになっている。第１用紙取扱シュート４０４および第２用紙取扱シュート４０６は、互いに離れる向きに回動可能であり、それぞれがスロット４０８から遠い側に回動点４１４、４１６を有する。
【００３１】
図４に示された例示的な実施形態において、第１用紙接触部品は、第１駆動機構に動作連結された従動回転部材４１８である。第１用紙駆動アセンブリ４２０は、従動回転部材４１８と、対向する用紙接触部品４２２とを備えることができる。対向の用紙接触部品４２２は、図４の例示的な実施形態でピンチタイヤとして示されている自由回転部材である。従動回転部材４１８および対向する接触部材４２２は、たとえば、ハウジングに独立して取り付けることができ、あるいは一緒に取り付けることもでき、従動回転部材４１８は係合位置へ並進可能であって、対向する用紙接触部材４２２に力を加え、それにより、折り目付き用紙の先頭部分を第１用紙駆動アセンブリ４２０内で挟むことができる。たとえば、従動回転部材４１８は、自由回転部材の回転軸の方へ並進することができる回転軸を有する駆動タイヤまたはローラである。
【００３２】
第１用紙駆動アセンブリ４２０は、従動回転部材４１８および対向する用紙接触部品４２２に結合されるガイド部材４２４も有することができる。たとえば、図４に示されているように、ガイド部材４２４の１つの例示的な実施形態は、用紙接触部品に近接する基部から、用紙接触部品先端まで先細りした部分を有することができる。先細り部分は、ガイドまたは漏斗機能を与えることができ、それにより、折り目付き用紙が第１用紙駆動アセンブリによって受け取られるとき、折り目付き用紙の先頭部分が第１用紙接触部品および対向する接触部品間に、たとえば、従動回転部材および自由回転部材間に導かれる。
【００３３】
図４に示された例示的な実施形態において、第１用紙駆動アセンブリ４２０は、収集装置４１２の第１側部４１０に平行に並進可能（Ｔ3）であり、それにより、折り目付き用紙が収集装置４１２上に位置決めされる。たとえば、第１用紙駆動アセンブリ４２０の回転部材が係合して、折り目付き用紙の先頭部分を挟んだ後、第１用紙駆動アセンブリ４２０が収集装置４１２の第１側部４１０に平行に、用紙取扱入口アセンブリ４０２から離れる方向に並進することができ、それにより、折り目付き用紙のさらなる部分が用紙取扱入口アセンブリ４０２のスロット４０８を通って運ばれる。言い換えると、第１用紙駆動アセンブリ４２０は、折り目付き用紙を用紙経路に沿って装置４００内へ前進させるように並進可能である。同様に、第１用紙駆動アセンブリ４２０はその並進方向を逆向きにして、それにより、折り目付き用紙を用紙経路に沿って後退方向に移動させることができる。この後退移動中、折り目付き用紙の後尾部分は、第２用紙駆動アセンブリ４２８および収集装置４１２の第２側部４２６間で収集装置４１２の第２側部４２６に導かれる。
【００３４】
図４に示された例示的な実施形態では、第２用紙駆動アセンブリ４２８は、第２駆動機構に動作連結された従動回転部材である第２用紙接触部品４３０を有する。第２駆動機構は、第２用紙接触部品４３０を軸４３２を中心にして回転させる。図４の実施形態では、従動回転部材が曲線パドルバーで表されている。
【００３５】
用紙受け取り位置にあるとき、第２用紙接触部品４３０は収集装置４１２の第２側部４２６から間隔をおいた位置にある。第２用紙接触部品４３０が曲線フラッパバーである場合、フラッパバーのアームが収集装置の第２側部から間隔をおいた位置にあり、それにより、折り目付き用紙の後尾部分が入ることができる通路４３４が生じる。通路４３４は、第２用紙駆動アセンブリ４２８および収集装置４１２の第２側部４２６間に位置する。
【００３６】
用紙解放位置にあるとき、第２用紙駆動アセンブリ４２８が回転して、第２用紙接触部品４３０が折り目付き用紙の後尾部分を収集装置４１２の第２側部４２６と接触させる。第２用紙接触部品４３０が曲線フラッパバーである場合、アームの端部および／またはアームは従順かつ柔軟であることができ、それにより、フラッパバーアームは回転中に折り目付き用紙に原動力を与える。
【００３７】
第１用紙駆動アセンブリおよび第２用紙駆動アセンブリは、用紙経路に沿った折り目付き用紙の受け取り点を基準にして収集装置の各側に配置されることができる。たとえば、図１および図２に示されているように、第１用紙駆動アセンブリを用紙経路に対して収集装置の受け取り側に配置することができる。別法として、図４に示されているように、第２用紙駆動アセンブリを用紙経路に対して収集装置の受け取り側に配置することができる。言い換えると、収集装置のいずれの側部も第１側部および第２側部に指定することができる。
【００３８】
図５は、用紙収集作業中に折り目付き用紙を積み重ねる装置５００の１つの例示的な実施形態を示し、移動部材５０６に固定された少なくとも１つの掃引部材などの第１用紙接触部品５０４を有する第１用紙駆動アセンブリ５０２を示す。移動部材５０６は、第１駆動機構に動作連結され、それにより、収集装置５１０の第１側部５０８にほぼ平行な方向に並進可能である。適当な掃引部材には、バー、ロッド、細長いフィンガや、移動部材５１０を第１駆動機構によって並進させる間、折り目付き用紙５１２と接触して折り目付き用紙５１２の表面を横切って引きずることができる任意の線形、非線形または曲線突起を有するものなどを含むことができる。移動部材５１０は、第１用紙接触部品５０４の用紙受け取り位置から用紙解放位置への必要な移動を行う任意の適当な機構である。たとえば、移動部材５１０は、直流同期モータまたはステップモータである駆動モータに連結されたベルト、チェーン、ギヤラックなどの無端ループ機構または並進機構か、あるいは任意の他の適当な無端ループ機構または並進機構にすることができる。第２用紙駆動アセンブリ５１２および／または向き変更部材５１４は、図１、図２および図４を参照しながら図示して説明した第２用紙駆動アセンブリおよび向き変更部材などの任意の適当な形である。
【００３９】
図６は、図５の装置の１つの例示的な実施形態を示し、第１用紙駆動アセンブリ６００が、無端ベルト６０４に取り付けられた第１用紙接触部品６０２を備える。無端ベルト６０４は、２つのプーリ６０６、６０８間で動作する。プーリの一方６０８は、その回転軸６１２に動作連結された第１駆動機構６１０を有する。
【００４０】
第１用紙駆動アセンブリ６００は、用紙経路の収集装置側に配置されることができ、用紙接触部品、たとえば、掃引部材を用紙受け取り位置から、収集装置からの用紙経路を横切って用紙解放位置へ移動させるように動作することができる。用紙受け取り位置および用紙解放位置は、収集装置６１６の第１側部６１４からずれた位置でそれに平行な平面上にほぼ位置する。用紙受け取り位置は、第１側部から第１距離の位置にあり、用紙解放位置は、第１側部から第２距離の位置にある。例示的な実施形態では、用紙受け取り位置および用紙解放位置は平面関係を有し、第２距離が第１距離より短い。
【００４１】
第１用紙駆動アセンブリは、無端ループ上に配置されることができる１つまたは複数の掃引部材を有することができる。たとえば、第１掃引部材が、折り目付き用紙を装置に送り込む間、それが用紙経路の上方にあるように、無端ループ上に配置されることができる。第２掃引部材が、給紙作業中にそれが用紙経路の下方にあるように、同時に配置されることができる。言い換えると、複数の掃引部材が設けられているとき、移動部材上の任意の２つの掃引部材間の離隔距離は、１つの掃引部材が用紙受け取り位置にあるとき、１つの掃引部材が用紙解放位置にあることを確保するのに十分でなければならない。したがって、無端ループの移動中、第１掃引部材は用紙受け取り位置から用紙解放位置へ移動し、それにより、折り目付き用紙の後尾部分が装置内へ引きずり込まれて、収集装置の第１側部に平行な向きに置き直される。同時に、第２掃引部材は用紙経路の上方に配置されており、それにより、折り目付き用紙の次の後尾部分に対して作業を繰り返すことができる。掃引部材は、接着剤、ねじ式またはブラインド連結部などの機械式連結、圧着などの任意の適当な手段によって無端ループ上に配置される。
【００４２】
図７の例示的な実施形態に示されているように、第１用紙駆動アセンブリ７００は、並進機構７０４に取り付けられる第１用紙接触部材７０２を備える。並進機構７０４は、モータに動作連結された固定ギヤラック７０６および並進シャフト７１０上のギヤ７０８を有することができる。掃引部材７０２は、並進シャフト７１０に取り付けられている。図７の実施形態において、掃引部材７０２は、モータおよびギヤ７０８に対して同軸的に取り付けられているが、任意の適当な取り付け位置を使用することができる。動作中、並進シャフト７１０は、収集装置７１４の第１側部７１２にほぼ平行に移動し、掃引部材７０２は、用紙経路の上方の用紙受け取り位置から用紙経路を通過して用紙解放位置へ移動し、それによって、折り目付き用紙７１８の後尾部分７１６と接触して、後尾部分７１６を収集装置７１４の第１側部７１２上に位置決めする。並進機構の１回の動作の後、並進シャフト７１０はギヤラック７０６に沿って再配置され、それにより、掃引部材７０２を用紙経路の上方に置いて、次の折り目付き用紙を受け取ることができる。
【００４３】
用紙積み重ね作業中に折り目付き用紙を積み重ねる装置は、製本機に組み込まれることができる。例示的な実施形態では、用紙収集作業中に折り目付き用紙を積み重ねる装置は、製本機内の１つの部品である。たとえば、製本機は、用紙経路、用紙折り目付け装置、および、用紙収集作業中に折り目付き用紙を積み重ねる装置を備えることができる。用紙収集作業中に折り目付き用紙を積み重ねる装置は、第１側部および第２側部を有する収集装置と、第１用紙接触部品を有する第１用紙駆動アセンブリと、第２用紙接触部品を有する第２用紙駆動アセンブリとを有することができる。用紙収集作業中、収集装置は、用紙経路、第１用紙接触部品および第２用紙接触部品の少なくとも１つに対して静止している。第１用紙駆動アセンブリは、収集装置の第１側部に位置して、第１側部から第１距離をおいた位置にある用紙受け取り位置と、第１側部から第２距離をおいた位置にある用紙解放位置との間を移動するように動作可能である。第２用紙駆動アセンブリは、第２用紙接触部品を有し、収集装置の第２側部に位置する。第２用紙接触部品は並進して、用紙を収集装置の第２側部との間に挟むことができる。
【００４４】
例示的な製本機は、積み重ねた折り目付き用紙を綴じる装置を備えることができる。綴じ装置は、ステープル綴じユニット、中綴じユニット（たとえば、ワイヤ、ステープルなど）、カバー付けユニット、中縫い（saddle-sawing）ユニット（たとえば、糸を使用）、および接着ユニットからなる群から選択することができる。たとえば、図２示されているように、製本機２２４は、折り目付き用紙の折り目が最終位置で載る地点に、折り目付き用紙取扱装置の収集装置２０２の近傍に位置する綴じ装置２２６を備えることができる。綴じ装置がステープル綴じユニットである例では、綴じ装置は、収集装置上に積み重ねられた折り目付き用紙と接触してステープル綴じ作業を実施し、それにより、多数の折り目付き用紙を互いに固定して、組み合わされたブックレットを形成することができる。積み重ねられた折り目付き用紙に対する同様の綴じ作業をその他の綴じ装置で実行することもできる。
【００４５】
折り目付き用紙取扱装置は、折り目付き用紙をさばいて積み重ね、それにより、組み合わされたブックレットを形成することができる。例示的な実施形態では、折り目付き用紙取扱装置は、第１側部および第２側部を有する収集装置と、折り目付き用紙を用紙経路から収集装置へ、その折り目付き用紙の先頭部分が収集装置上に位置決めされるように導く手段と、折り目付き用紙を収集装置の第１側部および第２側部の少なくとも一方に沿って移動させる手段と、折り目付き用紙の後縁部分を収集装置上に位置決めする手段とを備える。用紙収集作業中、収集装置は用紙経路に対して静止している。
【００４６】
折り目付き用紙を案内する手段は、任意の適当な手段にすることができる。たとえば、折り目付き用紙を案内する手段の１つの例示的な実施形態は、第１用紙駆動アセンブリ、用紙駆動部、用紙取扱受け取りアセンブリ、または折り目付き用紙を案内する任意の他の適当な手段、またはそれらの組み合わせを備える。同様に、収集装置の第１側部および第２側部の少なくとも一方に沿って折り目付き用紙を移動させる手段は、任意の適当な移動手段にすることができる。１つの例示的な実施形態では、折り目付き用紙を移動させる手段は、第１用紙駆動アセンブリ、第２用紙駆動アセンブリ、用紙駆動部、またはそれらの組み合わせである。折り目付き用紙を移動させる手段は、タイヤ、ローラ、パドル駆動部、または任意の他の並進または回転機構などの任意の適当な従動部材も有することができる。折り目付き用紙の後縁部分を収集装置上に位置決めする手段は、任意の適当な手段にすることができる。たとえば、例示的な実施形態では、位置決めする手段は、用紙受け取り位置および用紙解放位置間を移動するように動作可能な第１用紙駆動アセンブリか、用紙取扱入口アセンブリか、用紙受け取り位置から用紙解放位置へ移動する掃引部材か、または他の適当な従動および並進手段、あるいはそれらの組み合わせにすることができる。
【００４７】
折り目付き用紙を取り扱う１つの例示的な方法は、折り目付き用紙の第１部分を、第１用紙駆動アセンブリの第１用紙接触部品を備える用紙経路に沿って収集装置の第１側部に導くこと、折り目付き用紙の第１部分を第２用紙駆動アセンブリの第２用紙接触部品と接触させること、折り目付き用紙の第２部分を第１用紙駆動アセンブリの第１用紙接触部品と接触させること、折り目付き用紙の第１部分を収集装置の第１側部に沿って前進させるように、第１用紙接触部品および第２用紙接触部品の少なくとも一方を用紙前進方向に回転または並進させること、折り目付き用紙の第２部分を収集装置の第２側部に導くように、第１用紙駆動アセンブリを再配置すること、および折り目付き用紙の第２部分を収集装置の第２側部に沿って位置決めするように、第１用紙接触部品および第２用紙接触部品の少なくとも一方を用紙後退方向に回転または並進させることを含む。
【００４８】
１つの例示的な実施形態では、折り目付き用紙の第１部分は、折り目部分によって折り目付き用紙の第２部分から分けられる。例示的な方法では、折り目付き用紙の、第１用紙接触部品と接触する部分は、折り目付き用紙の、第２用紙接触部品と接触する部分ではない。たとえば、第１用紙接触部品が折り目付き用紙の先頭部分と接触する場合、第２用紙接触部品は、折り目付き用紙の後尾部分と接触する。同様に、第２用紙接触部品が折り目付き用紙の先頭部分と接触する場合、第１用紙接触部品は、折り目付き用紙の後尾部分と接触する。
【００４９】
さらに、１つの例示的な方法では、接触するステップにおいて、第１用紙接触部品および第２用紙接触部品の少なくとも一方が、折り目付き用紙の接触部分を静止状態に保持する。
【００５０】
１つの例示的な方法は、折り目付き用紙を最終位置で収集装置上に載置することを含む。折り目付き用紙を最終位置で収集装置上に載置するステップは、折り目付き用紙の接触部分を解放するように第１用紙駆動アセンブリを移動させることを含む。たとえば、第１用紙駆動アセンブリは、従動または並進手段か、またはその組み合わせなどの適当な手段によって、用紙経路に垂直に、あるいは用紙経路を横切って、またはそれらを組み合わせて移動させることができる。収集装置上での折り目付き用紙の最終位置では、第１部分が第１側部上に、第２部分が第２側部上に、折り目付き用紙の折り目部分が収集装置のエッジ上に位置することができる。収集装置のエッジは、折り目部分を受け取るようになっている頂部を有する。代替として、収集装置上での折り目付き用紙の最終位置では、第２部分が第１側部上に、第１部分が第２側部上に、折り目付き用紙の折り目部分が収集装置のエッジ上に位置する。
【００５１】
１つの例示的な方法では、折り目付き用紙の第１部分は、折り目付き用紙の先頭部分である。折り目付き用紙の先頭部分を用紙経路から収集装置に導くステップ中か、または折り目付き用紙の第１部分を第２用紙接触部品と接触させるステップ中、先頭部分は、第２用紙接触部品および収集装置の第２側部間に配置される。折り目付き用紙の第２部分と接触することは、第１用紙駆動アセンブリを折り目付き用紙の第２部分の縁部または表面に沿って位置決めすることを含む。折り目付き用紙の第１部分と接触するステップ中、第２用紙接触部品は収集装置の第１側部に力を加えることができる。折り目付き用紙の先頭部分は、収集装置の第１側部に沿って前進するが、折り目付き用紙の折り目が第２用紙駆動アセンブリと出会う点を決して越えることはなく、また、折り目は第２用紙接触部品および収集装置間を通過しない。第１用紙駆動アセンブリの再配置は、折り目付き用紙の第２部分を第１用紙接触部材との接触状態から解放しない。
【００５２】
１つの例示的な方法では、第１用紙接触部品は、従動回転部材であり、折り目付き用紙の第２部分は、折り目付き用紙の第２部分が第２用紙接触部品と接触するステップ中に従動回転部材および対向の用紙接触部品間に捕らえられる先頭部分である。折り目付き用紙の第１部分と接触することは、第２用紙駆動アセンブリを折り目付き用紙の後尾部分の縁部または表面に沿って位置決めすることを含む。折り目付き用紙の第１部分と接触するステップ中、第２用紙接触部品は収集装置の第１側部に力を加えることができる。折り目付き用紙の第２部分は、回転または並進するステップ中、従動回転部材および対向の用紙接触部品間を前進することができる。折り目付き用紙の第２部分は前進するが、折り目付き用紙の折り目が第１用紙駆動アセンブリと出会う点を決して越えることはなく、また、折り目は従動回転部材および対向する用紙接触部品間を通過しない。第１用紙駆動アセンブリの再配置は、折り目付き用紙の第１部分を第１用紙接触部材との接触状態から解放しない。
【００５３】
１つの例示的な方法では、収集装置は、用紙経路、第１用紙駆動アセンブリおよび第２用紙駆動アセンブリの少なくとも１つに対して静止している。さらに、収集装置は、用紙経路の、導くステップより上流の点で折り目付き用紙の向きに垂直か、または平行な向きである。
【００５４】
折り目付き用紙を取り扱う１つの例示的な方法を、用紙収集作業中に折り目付き用紙を積み重ねる装置を参照しながら説明することができる。図８ａ〜図８ｉは、例示的な用紙収集作業で折り目付き用紙を積み重ねる間の図２の装置の連続図を示す。例示的な方法では、装置８００を、流入する用紙を受け取る、たとえば、流入する用紙を折り目付け装置８０２から受け取る準備ができた状態にする（図８ａ）。
【００５５】
上流側の用紙前進システム（図示せず）が、先の折り目付き用紙の作業、たとえば、折り目付け作業の完了後に、次の用紙を装置８００に送り込む。折り目付き用紙８０４は装置８００に入り、図８ｂに示された、用紙受け取り位置にある第１用紙駆動アセンブリ８１２によって折り目付き用紙８０４の先頭部分８０６が、用紙経路から収集装置８１０の第２側部８０８に案内される。折り目付き用紙８０４の先頭部分８０６は、第１用紙駆動アセンブリ８１２の第１用紙接触部品８１６、たとえば、従動回転部材と自由回転部材８１８との間の隙間８１４を通って進む。折り目付き用紙８０４の先頭部分８０６は、隙間８０４を通り、収集装置８１０の上を越えて第２側部８０８に進む。折り目付き用紙８０４の先頭部分８０６は次に、図８ｂにほぼガイドシュートとして示されている静止した向き変更部材８２０によって向きが変更される。向き変更部材８２０は、用紙を収集装置８１０の第２側部８０８に沿って下向きに、収集装置８１０の第２側部８０８からずらしたほぼ従動タイヤとして示されている第２用紙駆動アセンブリ８２２の方に向きを変更する。上流側の用紙前進システム（図示せず）が、折り目付き用紙８０４を装置８００に送り込み続ける。したがって、折り目付き用紙８０４の先頭部分８０６は、第２用紙駆動アセンブリ８２２および収集装置８１０の第２側部８０８、たとえば、第２用紙接触部品８２４および第２側部８０８間を前進し続ける。
【００５６】
折り目付き用紙８０４の折り目８２６は、第１用紙駆動アセンブリ８１２内の隙間８１４を通過するが、折り目８２６に対する悪影響はまったくない。たとえば、折り目８２４は、鮮明で尖った状態を維持し、ピンチドライブを通過した場合に生じるような損傷がない。このステップが図８ｃに示されている。
【００５７】
第２用紙駆動アセンブリ８２２の第２用紙接触部品８２４が並進して、折り目付き用紙８０４の先頭部分８０６を収集装置８１０の第２側部８０８と接触させる。図８ｄは、第２用紙接触部品８２４が折り目付き用紙８０４の先頭部分８０６と接触して、折り目付き用紙８０４の先頭部分８０６を収集装置８１０に対して静止した状態に保持するところを示す。
【００５８】
同様に、第１用紙駆動アセンブリ８１２は、たとえば、係合位置へ並進して第１用紙接触部品８１６、たとえば、従動回転部材に力を加える自由回転部材８１８により、折り目付き用紙８０４の後尾部分８２８を第１用紙接触部材８１６に対して静止した状態に保持するように作動する。その力が、第１用紙駆動アセンブリ８１２内での折り目付き用紙８０４の挟み、保持、押し付けなどを行うことができる。図８ｄの例では、自由回転部材８１８は、カムなどのハウジング８３０に偏心状態に取り付けられており、ハウジング８３０の移動中、たとえば、ハウジング８３０の回転または回動中、自由回転部材８１８が係合位置へ並進する、たとえば、内向きに引き込まれ、それにより、第１用紙接触部品に力を加える。
【００５９】
（図８ｅに示されている）第１用紙駆動アセンブリ８１２および第２用紙駆動アセンブリ８２２間の連係駆動運動が、折り目付き用紙８０４を用紙前進方向８３２に収集装置８１０の第２側部８０８の下方へ移動させる。たとえば、第１用紙駆動アセンブリ８１２および第２用紙駆動アセンブリ８２２が連係した状態で回転し、それにより、折り目付き用紙８０４の先頭部分８０６を収集装置８１０の第２側部８０８の下方へ前進させることができる。この動作中、折り目付き用紙８０４の先頭部分８０６は前進するが、折り目付き用紙８０４の折り目８２６が第２用紙駆動アセンブリ８２２と出会う点を越えることはない。たとえば、折り目付き用紙８０４の折り目８２６は、第２用紙駆動アセンブリ８２２および収集装置８１０の第２側部８０８間を通過しない。したがって、折り目付き用紙８０４の折り目８２６が保全される。この作業中、折り目付き用紙８０４の後縁部８２８の少なくとも一部分が、収集装置８１０の第２側部８０８まで前進する。さらに、折り目付き用紙８０４の後尾部分８２８の端部８３４が、装置８００内にほぼ運び込まれる。折り目付き用紙８０４の前縁部８０６は、装置８００の収集装置８１０の下側へ丸まることができる。
【００６０】
図８ｆにおいて、第１用紙駆動アセンブリ８１２は用紙解放位置へ移動する。図８ｆの例示的な実施形態に示されているように、第１用紙駆動アセンブリ８１２が用紙解放位置へ移動することにより、折り目付き用紙８０４の後尾部分８２８の端部８３４の向きが変わって、収集装置８１０の第１側部８３６に沿って進む向きになる。たとえば、第１用紙駆動アセンブリ８１２は９０°回動して、折り目付き用紙８０４の後尾部分８２８の端部８３４を下向きにすることができる。したがって、第１用紙駆動アセンブリ８１２は、折り目付き用紙８０４の後尾部分８２８を収集装置８１０の第１側部８３６に沿って導く位置に再配置される。
【００６１】
第１用紙接触部品８１６および第２用紙接触部材部品８２４の少なくとも一方が用紙後退方向８３８に回転し、それにより、折り目付き用紙８０４の後尾部分８２８を収集装置８１０の第１側部８６に沿って配置する。図８ｇは、折り目付き用紙８０４の後尾部分８２８を収集装置８１０の第１側部８３６に沿って配置する一例を示す。
【００６２】
折り目付き用紙８０４は次に、最終位置で収集装置８１０上に載せられる。たとえば、図８ｈに示されているように、第１用紙駆動アセンブリ８１２の自由回転部材８１８は、第１用紙接触部品８１６から離れるように並進し、それにより、折り目付き用紙８０４との接触状態から離脱することができる。第１用紙駆動アセンブリ８１２は次に、折り目付き用紙８０４の後尾部分８２８を解放して折り目付き用紙８０４を収集装置８１０上の最終位置に置くように移動することができる。たとえば、第１用紙駆動アセンブリ８１２を用紙経路から、たとえば、折り目付き用紙に垂直に、あるいは、それに平行で横切る向きのいずれかで移動させるように、第１用紙駆動アセンブリ８１２を並進システムに動作連結することができる。図８ｈに示されているように、第１用紙駆動アセンブリ８１２には、一端部で図面の平面から飛び出し、また図面の平面内に戻り、図８ｉで用紙をサドルの第１側部上に落下させて載せることができる部分が設けられている（収集装置の各端部の第１用紙駆動アセンブリの使用に関して図１を参照されたい）。この動作中、第２用紙駆動アセンブリ８２２が折り目付き用紙８０４の先頭部分８０６を収集装置８１０に押し付けて保持し続ける。
【００６３】
図８ｉに示されているように、折り目付き用紙８０４の後尾部分８２８が第１用紙駆動アセンブリ８１２によって解放された後、第２用紙駆動アセンブリ８２２は、収集装置８１０の第２側部８０８から垂直に離れる方向に並進する。したがって、折り目付き用紙８０４は収集装置８１０上の最終位置に移動する。さらに、第１用紙駆動アセンブリ８１２は、用紙受け取り位置に再配置される。
【００６４】
図８ｉの例示的な実施形態に示された最終位置では、折り目付き用紙８０４の先頭部分８０６が収集装置８１０の第２側部８０８上にあり、折り目付き用紙８０４の後尾部分８２８が収集装置８１０の第１側部８３６上にあり、折り目付き用紙８０４の折り目８２６が収集装置８１０のエッジ８４０上にある。
【００６５】
図８ａ〜図８ｉの作業中、収集装置は用紙経路、第１用紙駆動アセンブリまたは第２用紙駆動アセンブリの少なくとも１つに対して静止したままである。
【００６６】
図９ａ〜図９ｊは、例示的な用紙収集作業で折り目付き用紙を積み重ねる間の図４の装置９００の連続図を示す。例示的な方法では、装置９００を、流入する用紙を受け取る、たとえば、流入する用紙を上流の用紙前進システムから受け取る準備ができた状態にする。例示的な方法では、折り目のない用紙が示されているが、折り目付き用紙および折り目なし用紙の両方を使用することができる。
【００６７】
図９ａは、用紙９０２が主用紙駆動部９０４から折り目付けブレード９０６を越えて、用紙取扱入口アセンブリ９１０内のスロット９０８を通って装置９００に送り込まれるところを示す。用紙９０２は装置９００に入り、先頭部分９１２が用紙経路から収集装置９１６の第２側部９１４へ、さらに第１用紙駆動アセンブリ９１８内へ導かれる。
【００６８】
図９ａに示された例示的な実施形態では、第１用紙駆動アセンブリ９１８は、従動回転部材９２０および対向する用紙接触部品９２２を有する。用紙受け取り位置では、従動回転部材９２０および対向する用紙接触部品９２２間に隙間９２４が存在する。従動回転部材９２０および対向する用紙接触部品９２２の各々に結合したガイド部材９２６が、用紙９０２の先頭部分９１２を隙間９２４内へ導くのを助ける。
【００６９】
次に、第１用紙駆動アセンブリ９１８が動作して、用紙９０２の先頭部分９１２を捕らえる。たとえば、図９ｂに示されているように、従動回転部材９２０が係合位置へ並進して対向の用紙接触部品９２２に力を加え、それにより、用紙９０２の先頭部分９１２を第１用紙駆動アセンブリ９１８内に挟むことができる。
【００７０】
第１用紙駆動アセンブリ９１８は、収集装置９１６の第２側部９１４に平行に第１位置（位置Ａ）から第２位置へ、たとえば、用紙受け取り位置から図９ｅの位置Ｂなどの第２位置へ並進することができる。図９ｃ〜図９ｅは、第１用紙駆動アセンブリ９１８の並進を示す。第２用紙駆動アセンブリ９１８の並進を主用紙駆動部９０４の動作と連係させ、それにより、用紙９０２を収集装置９１６に沿って前進させることができる。
【００７１】
用紙９０２は、それを先頭部分９１２および後尾部分９３０に分ける折り目９２８を予め備えることができる。あるいは、第１用紙駆動アセンブリ９１８の並進動作を折り目付けステップと連係させることができる。たとえば、図９ｄに示されているように、第１用紙駆動アセンブリ９１８の並進を位置Ａおよび第２位置、たとえば、位置Ｂ間で一時停止させて、用紙９０２の中間部分を折り目付け装置の折り目付けブレード９０６上に載せたままにすることができる。折り目９２８を付けて、第１用紙駆動アセンブリ９１８の並進を再開することができる。
【００７２】
第２位置への並進の後、第１用紙駆動アセンブリ９１８が従動回転部材９２０を回転させるように動作し、それにより、折り目付き用紙９０２を装置９００内へ前進させる。たとえば、図９ｆに示されているように、従動回転部材９２０が回転して、折り目付き用紙９０２の先頭部分９１２を収集装置９１６の第２側部９１４に沿って前進させることができる。先頭部分９１２は、収集装置９１６の下側へ丸まることができる。折り目付き用紙９０２の折り目９２８は前進するが、折り目９２８が第１用紙接触部品、たとえば、従動回転部材９２０と出会う点を決して越えることはなく、また、折り目９２８は従動回転部材９２０および対向する用紙接触部品９２２間を通過しない。折り目付き用紙９０２の前進を制限し、それによって折り目９２８が第１用紙駆動アセンブリ９１８の接触部分に入ることを防止することにより、折り目付き用紙９０２の折り目９２８が維持される。さらに、折り目付き用紙９０２の前進により、折り目付き用紙９０２の端部９３２が用紙取扱入口アセンブリ９１０内のスロット９０８を通って前進し、それにより、折り目付き用紙９０２が装置９００内に完全に入る。
【００７３】
その後、図９ｇに示されているように、第１用紙駆動アセンブリを逆方向に動作させる。たとえば、第１用紙駆動アセンブリ９１８が第２側部９１４に平行に、第２位置（位置Ｂ）から第３位置（位置Ｃ）へ並進する。位置Ｃは、用紙受け取り位置（図９ｃの位置Ａ）と同一位置にすることができ、あるいは、異なった位置でもよい。第２位置から第３位置への並進中、従動回転部材９２０は逆方向に回転し、それにより、折り目付き用紙９０２を用紙経路に沿って後退させる。しかし、用紙取扱入口アセンブリ９１０のスロット９０８は、折り目付き用紙９０２の後尾部分９３０がスロット９０８に再び入らないで、収集装置９１６の第１側部９３４に進むような向きになっている。たとえば、用紙取扱入口アセンブリ９１０は、折り目付き用紙９０２の後尾部分９３０の向きを、たとえば９０°変えて、それにより、第１用紙駆動アセンブリ９１８の並進および逆回転中、収集装置９１６の第１側部９３４に沿って移動させる。
【００７４】
第２用紙駆動アセンブリ９３６が、収集装置９１６の第１側部９３４上に配置されている。第２用紙駆動アセンブリ９３６は、図９ｆにおいて用紙受け取り位置で、図９ｇにおいて用紙接触状態で示されている。用紙受け取り状態では、折り目付き用紙９０２の後尾部分９３０は、第２用紙駆動アセンブリ９３６および収集装置９１６の第１側部９３４間に導かれる。その後、第２用紙駆動アセンブリ９３６が動作して、折り目付き用紙９０２の後尾部分９３０を収集装置９１６の第１側部９３４の下方へ移動させる。たとえば、第２用紙駆動アセンブリ９３６には、用紙受け取り位置から用紙接触位置へ回転し、用紙９０２と接触している間、回転し続けて、それにより、用紙９０２を収集装置９１６の第１側部の下方へ移動させることができる第２用紙接触部品９３８、たとえば、図９ａ〜図９ｊに示されている曲線フラッパバーを設けることができる。
【００７５】
折り目付き用紙９０２の後尾部分９３０が第２用紙駆動アセンブリ９３６内に入ると同時に、第２用紙９４０を用紙取扱入口アセンブリ９１０のスロット９０８に送り込むことができる。第２用紙９４０の先頭部分９４２は、第１折り目付き用紙９０２の外側表面９４４と接触しながら、たとえば、第１折り目付き用紙９０２の、収集装置９１６から遠い側の表面上と接触しながら、収集装置９１６の第２側部９１４へ前進する。この時、装置９００は２枚の用紙を同時に操作する、または取り扱う。したがって、第１折り目付き用紙９０２の方向の逆転および装置９００への第２用紙９４０の送り込みを同時に行うことにより、折り目付き用紙の処理量を増加させることができる。
【００７６】
図９ｈは、第１用紙駆動アセンブリ９１８が第１折り目付き用紙９０２を解放するところを示す。第１折り目付き用紙９０２の解放は、任意の適当な方法で行うことができる。たとえば、第１用紙駆動アセンブリ９１８の従動回転部材９２０および対向する用紙接触部品９２２を分離させて、第１用紙駆動アセンブリ９１８を用紙経路に平行に、かつ／またはそれを横切って並進させることができる。別法として、折り目付き用紙９０２に係合していない間に、第１用紙駆動アセンブリ９１８を第２位置、たとえば、位置Ｂか、他の適当な位置へ並進させ、それにより、折り目付き用紙９０２を第１用紙駆動アセンブリ９１８から解放することができる。同時に、第２用紙駆動アセンブリ９３６が収集装置９１６の第１側部９３４上での折り目付き用紙９０２の位置決めを完了することができ、それから用紙受け取り位置に戻る。
【００７７】
第１用紙駆動アセンブリ９１８は、並進して第１位置（位置Ａ）に戻ることができ、ガイド部材９２６は第２用紙９４２の先頭部分９４２を従動回転部材９２０および対向する用紙接触部品９２２間に導く（図９ｉ）ことができる。従動回転部材９２０および対向の用紙接触部品９２２は協働して、第２用紙９４０の先頭部分９４２を挟み（図９ｊ）、図９ａ〜図９ｈに関連して示して説明した動作を、後続の折り目付き用紙に対して繰り返すことができる。
【００７８】
この方法の繰り返しにより、任意数の折り目付き用紙を積み重ねることができる。すべての折り目付き用紙を積み重ねた後、その後の製本作業、たとえば、綴じ作業などを行うことができる。ブックレットが組み合わされると、用紙取扱入口アセンブリの用紙取扱シュートがそれらの回動点を中心にして回動して、組み合わされたブックレットを収集装置から排出することができる。
【００７９】
図９ａ〜図９ｊの作業中、収集装置は、用紙経路、第１用紙駆動アセンブリまたは第２用紙駆動アセンブリの少なくとも１つに対して静止したままである。
【００８０】
折り目付き用紙を取り扱う別の例示的な方法は、第１折り目付き用紙の先頭部分を収集装置の第２側部に案内すること、第１折り目付き用紙の先頭部分を第２用紙接触部品および収集装置の第２側部間に案内すること、第１折り目付き用紙の折り目を収集装置のエッジ上に位置決めすること、収集装置の第２側部に力を加えて第１折り目付き用紙の先頭部分を静止状態に保持するように、第２用紙接触部品を移動させること、第１折り目付き用紙の後尾部分を収集装置の第１側部に沿って位置決めするように、少なくとも１つの掃引部材を用紙経路の第１側の第１位置から用紙経路を通過して第２位置へ掃引させることを含む。
【００８１】
図１０は、図６の例示的な装置１０００を使用して折り目付き用紙を取り扱う方法の間の第１用紙駆動アセンブリ１００４の掃引部材１００２の位置を示す。図１０に示されているように、折り目付き用紙１００８の先頭部分１００６は、収集装置１０１２の第２側部１０１０に案内されており、用紙駆動アセンブリ１０１６の用紙接触部品１０１４が折り目付き用紙１００８の先頭部分１００６と接触して、それにより、先頭部分１００６を収集装置１０１２に対して静止状態に保持している。
【００８２】
用紙受け取り位置（位置Ａ）では、掃引部材１００２は、用紙経路の、収集装置１０１２と反対側である、用紙経路の第１側１０１８にある。その後、掃引部材１００２は用紙経路を通過して用紙接触位置（位置Ｂ〜Ｄ）へ、さらに用紙解放位置（位置Ｅ）へ移動する。用紙解放位置は、折り目付き用紙１００８の本来の用紙経路の下方にある。掃引移動中、掃引部材１００２は折り目付き用紙１００８の後尾部分１０２０と接触して、折り目付き用紙１００８の端部１０２２が装置１０００に入る移動を完了し、折り目付き用紙１００８の後尾部分１０２０を収集装置１０１２の第１側部１０２４に沿って配置する。多数の掃引部材か、あるいは単一の掃引部材を使用することができる。図１０は、多数の掃引部材１００２を示す。掃引部材１００２は、掃引部材１００２の位置を変更する任意の適当な移動部材１０２６、たとえば、無端ベルトまたは並進機構に取り付けられることができる。
【００８３】
第１折り目付き用紙１００８の後尾部分１０２０を収集装置１０１２の第１側部１０２４に沿って位置決めした後、第２用紙駆動アセンブリ１０１６の用紙接触部品１０１４を収集装置１０１２の第２側部１０１０から離れるように移動させ、それにより、用紙接触部品１０１４を第１折り目付き用紙１００８の先頭部分１００６から離す。この時、装置１０００は第２、または後続の折り目付き用紙を受け取る位置にある。
【００８４】
たとえば、第２折り目付き用紙の先頭部分は、収集装置の第２側部へ導かれる。先頭部分は、用紙接触部品および収集装置の第２側部間を導かれる。第２折り目付き用紙の折り目の位置が第１折り目付き用紙の折り目と一致するようにして、第２折り目付き用紙の折り目を収集装置の上に位置決めする。用紙接触部品が移動して、収集装置の第２側部を押し付ける力を加えて、それにより、第２折り目付き用紙の先頭部分が収集装置に対して静止状態に保持される。少なくとも１つの掃引部材を用紙受け取り位置から用紙解放位置へ掃引させ、それにより、第２折り目付き用紙の後尾部分を収集装置の第１縁部に沿って位置決めする。折り目付き用紙の取り扱い方法を繰り返して実行し、それにより、さらなる折り目付き用紙を収集装置上に積み重ね続けることができる。
【００８５】
図１０の動作中、収集装置は用紙経路、第１用紙駆動アセンブリまたは第２用紙駆動アセンブリの少なくとも１つに対して静止したままである。
【００８６】
用紙収集作業中に折り目付き用紙を積み重ねる装置は、第１用紙駆動アセンブリに動作連結された並進駆動システムなどの並進機構を備えることができる。並進駆動システムは、第１用紙駆動アセンブリを用紙経路の内外へ移動させる。たとえば、第１用紙駆動アセンブリは、用紙取り扱い作業中に折り目付き用紙の表面、縁部または表面の縁部と接触することができる第１用紙接触部品を有する。その後、第１用紙駆動アセンブリを用紙経路外へ移動させ、それにより、後続の用紙取り扱い作業、たとえば、別の折り目付き用紙の積み重ね、別の製本作業、または完成ブックレットの排出を可能にすることができる。１つの例示的な実施形態では、第１用紙駆動アセンブリを任意の適当な手段によって用紙経路の内外へ移動させることができる。たとえば、第１用紙駆動アセンブリは、第１用紙駆動アセンブリを用紙経路に垂直に移動させる、たとえば、折り目付き用紙の表面に垂直であるか、または用紙経路に平行でそれを横切る、たとえば、折り目付き用紙の縁部から離れる並進機構に動作連結される、たとえば、取り付けられるか、連結される。
【００８７】
図１１は、並進機構１１００を備えた、用紙収集作業中に折り目付き用紙を積み重ねる装置の１つの例示的な実施形態を示す。並進機構１１００は、連結部材１１０４によって第１用紙駆動アセンブリ１１０２に連結されており、往復ギヤ１１０８およびラック１１１０として示されたリンク機構１１０６を有する。並進機構１１００は、第１用紙駆動アセンブリ１１０２を折り目付き用紙１１１４の縁部１１１２から離れるか、その内部に進む方向のいずれか一方に並進させることができる。たとえば、直流モータなどの並進駆動機構１１１６が往復ギヤ１１０８およびギヤラック１１１０を駆動し、それによって第１用紙駆動アセンブリ１１０２を操作することができる。別法として、第１用紙駆動アセンブリ１１０２の並進移動を任意の適当な手段、たとえば、コントローラが操作する独立的並進機構、インターロックを含めた流体継手などによって連係させることができる。
【００８８】
並進機構１１００は、第１用紙駆動アセンブリ１１０２の位置を調節し、それにより、折り目付き用紙１１１４の任意幅に適応することができる。したがって、たとえば、図１１に示されているような、１１×１７の折り目付き用紙を使用することができる。図１１は、第１用紙駆動アセンブリの移動範囲に入る任意の用紙幅に適応することができる収集装置を示す。第１用紙駆動アセンブリ１１０２を並進機構１１００によって並進させ、それにより、たとえば、
【００８９】
【数１】
2005538912.tif 000003
【００９０】
（たとえば、オリジナル規格紙サイズ）の折り目付き用紙の任意の幅寸法に適応することができる。
【００９１】
さらに、並進機構１１００および第１用紙駆動アセンブリ１１０２間の連結部材１１０４は、任意の形にすることができる。図１１に示されているように、連結部材１１０４は、Ｃ形アーム構造である。Ｃ形アーム構造により、第１用紙駆動アセンブリ１１０２間で収集装置１１２０の側部に開放空間１１１８を設けることができ、並進機構１１００による折り目付き用紙１１１４間の干渉を防止することができる。しかし、各々の第１用紙駆動アセンブリ用の個別の並進機構であって、たとえば中央処理装置または制御プログラムなどの制御システムによって連係させることができる並進機構を備える任意の適当な連結部材を使用することもできる。
【００９２】
本発明をその好適な実施形態に関連して説明してきたが、添付の特許請求の範囲に定義されているような本発明の精神および範囲から逸脱することなく、具体的に説明されていない追加、削除、修正および代用を行ってもよいことは、当業者には理解されるであろう。
【図面の簡単な説明】
【００９３】
【図１】用紙収集作業中に折り目付き用紙を積み重ねる装置の１つの例示的な実施形態の斜視図である。
【図２】図１の装置のＡ−Ａに沿った断面図である。
【図３】図３の実施形態の第１用紙駆動アセンブリの詳細の斜視図である。
【図４】用紙取扱入口アセンブリを有する、用紙収集作業中に折り目付き用紙を積み重ねる装置の１つの例示的な実施形態を示す図である。
【図５】第１用紙接触部材を掃引部材として示す、用紙収集作業中に折り目付き用紙を積み重ねる装置の１つの例示的な実施形態を示す図である。
【図６】掃引部材が無端ベルトに取り付けられている、図５の例示的な実施形態を示す図である。
【図７】掃引装置が並進機構に取り付けられている、図５の例示的な実施形態を示す図である。
【図８ａ】例示的な用紙収集作業において折り目付き用紙を積み重ねる間の図２の装置の側面図である。
【図８ｂ】例示的な用紙収集作業において折り目付き用紙を積み重ねる間の図２の装置の側面図である。
【図８ｃ】例示的な用紙収集作業において折り目付き用紙を積み重ねる間の図２の装置の側面図である。
【図８ｄ】例示的な用紙収集作業において折り目付き用紙を積み重ねる間の図２の装置の側面図である。
【図８ｅ】例示的な用紙収集作業において折り目付き用紙を積み重ねる間の図２の装置の側面図である。
【図８ｆ】例示的な用紙収集作業において折り目付き用紙を積み重ねる間の図２の装置の側面図である。
【図８ｇ】例示的な用紙収集作業において折り目付き用紙を積み重ねる間の図２の装置の側面図である。
【図８ｈ】例示的な用紙収集作業において折り目付き用紙を積み重ねる間の図２の装置の側面図である。
【図８ｉ】例示的な用紙収集作業において折り目付き用紙を積み重ねる間の図２の装置の側面図である。
【図９ａ】例示的な用紙収集作業において折り目付き用紙を積み重ねる間の図４の装置の側面図である。
【図９ｂ】例示的な用紙収集作業において折り目付き用紙を積み重ねる間の図４の装置の側面図である。
【図９ｃ】例示的な用紙収集作業において折り目付き用紙を積み重ねる間の図４の装置の側面図である。
【図９ｄ】例示的な用紙収集作業において折り目付き用紙を積み重ねる間の図４の装置の側面図である。
【図９ｅ】例示的な用紙収集作業において折り目付き用紙を積み重ねる間の図４の装置の側面図である。
【図９ｆ】例示的な用紙収集作業において折り目付き用紙を積み重ねる間の図４の装置の側面図である。
【図９ｇ】例示的な用紙収集作業において折り目付き用紙を積み重ねる間の図４の装置の側面図である。
【図９ｈ】例示的な用紙収集作業において折り目付き用紙を積み重ねる間の図４の装置の側面図である。
【図９ｉ】例示的な用紙収集作業において折り目付き用紙を積み重ねる間の図４の装置の側面図である。
【図９ｊ】例示的な用紙収集作業において折り目付き用紙を積み重ねる間の図４の装置の側面図である。
【図１０】例示的な用紙収集作業において折り目付き用紙を積み重ねる間の図６の装置の連続的な側面図である。
【図１１】用紙収集作業中に折り目付き用紙を積み重ねる装置の１つの例示的な実施形態であって、第１用紙駆動アセンブリを支持するアームが、異なったサイズの用紙に適応し、かつ／または異なったサイズのブックレットの組み合わせに適応するように収集装置の各端部に位置する例示的な実施形態を示す図である。
【図１】
2005538912.tif 000004
【図２】
2005538912.tif 000005
【図３】
2005538912.tif 000006
【図４】
2005538912.tif 000007
【図５】
2005538912.tif 000008
【図６】
2005538912.tif 000009
【図７】
2005538912.tif 000010
【図８ａ】
2005538912.tif 000011
【図８ｂ】
2005538912.tif 000012
【図８ｃ】
2005538912.tif 000013
【図８ｄ】
2005538912.tif 000014
【図８ｅ】
2005538912.tif 000015
【図８ｆ】
2005538912.tif 000016
【図８ｇ】
2005538912.tif 000017
【図８ｈ】
2005538912.tif 000018
【図８ｉ】
2005538912.tif 000019
【図９ａ】
2005538912.tif 000020
【図９ｂ】
2005538912.tif 000021
【図９ｃ】
2005538912.tif 000022
【図９ｄ】
2005538912.tif 000023
【図９ｅ】
2005538912.tif 000024
【図９ｆ】
2005538912.tif 000025
【図９ｇ】
2005538912.tif 000026
【図９ｈ】
2005538912.tif 000027
【図９ｉ】
2005538912.tif 000028
【図９ｊ】
2005538912.tif 000029
【図１０】
2005538912.tif 000030
【図１１】
2005538912.tif 000031
【国際調査報告】
2005538912.tif 000032
2005538912.tif 000033